(57)【要約】カテーテルアセンブリは、カテーテルアダプターを含み得、遠位端、近位端、およびそれを通って延びる管腔を含み得る。前記カテーテルアセンブリはまた、前記管腔内にスライド可能に配置された隔壁を含み得る。前記隔壁は、遠位端、近位端、および前記隔壁の前記遠位端と前記近位端との間に配置されたバリアを含み得る。前記バリアは、前記隔壁の内部を遠位空洞と近位空洞に分割することができる。前記バリアの遠位面は、突起を含み得る。前記バリアは、前記遠位空洞と前記近位空洞との間の流体連絡を選択的に開くために、前記突起を通って延びるスリットを含み得る。
2021532942.tif 000002
【特許請求の範囲】
【請求項１】
遠位端、近位端、およびそれを通って延びる管腔を含むカテーテルアダプターと、
前記管腔内にスライド可能に配置された隔壁であって、遠位端、近位端および前記隔壁の前記遠位端と前記隔壁の前記近位端との間に配置されたバリアを含む前記隔壁と、を備え、
前記バリアは、前記隔壁の内部を遠位空洞と近位空洞に分割し、
前記バリアの遠位面が突起を含み、
前記バリアは、前記遠位空洞と前記近位空洞との間の流体連絡を選択的に開くために前記突起を通って延びるスリットを含む、
カテーテルアセンブリ。
【請求項２】
前記突起が前記遠位面の中心に配置され、
前記スリットが前記突起の中心を通って延びる、
請求項１に記載のカテーテルアセンブリ。
【請求項３】
前記突起がドームを含む、
請求項１に記載のカテーテルアセンブリ。
【請求項４】
前記ドームの直径が前記スリットの直径よりも大きい、
請求項２に記載のカテーテルアセンブリ。
【請求項５】
前記突起が切り詰められたドームを含む、
請求項１に記載のカテーテルアセンブリ。
【請求項６】
前記切り詰められたドームの切り詰められた部分の直径が前記スリットの直径よりも大きい、
請求項４に記載のカテーテルアセンブリ。
【請求項７】
前記突起の外面が、前記カテーテルアセンブリの横軸に対して鋭角で配置されている、
請求項１に記載のカテーテルアセンブリ。
【請求項８】
前記突起に対して流れる逆流血液に応答して、前記スリットの対向する面が互いにより強く押し付けて前記スリットを密封する、
請求項１に記載のカテーテルアセンブリ。
【請求項９】
前記カテーテルアダプターの管腔内に固定された隔壁アクチュエータをさらに含み、
前記隔壁は、近位位置と遠位位置との間を移動するように構成され、
前記隔壁アクチュエータは、前記隔壁が遠位位置に移動するのに応答して前記スリットを貫通する、
請求項１に記載のカテーテルアセンブリ。
【請求項１０】
前記バリアの近位面が平坦である、
請求項１に記載のカテーテルアセンブリ。
【請求項１１】
前記突起が対称である、
請求項１に記載のカテーテルアセンブリ。
【請求項１２】
遠位端、近位端、およびそれを通って延びる管腔を含むカテーテルアダプターと、
前記カテーテルアダプターの前記管腔内に固定された隔壁アクチュエータと、
前記管腔内にスライド可能に配置された隔壁であって、遠位端、近位端および前記隔壁の前記遠位端と前記隔壁の前記近位端との間に配置されたバリアを含む前記隔壁と、を備え、
前記バリアが前記隔壁の内部を遠位空洞と近位空洞に分割し、
前記遠位空洞と前記近位空洞との間の流体流路を選択的に開くための前記バリア内に配置されたスリットをさらに備え、
前記バリアの遠位面が突起を含み、
前記隔壁は前記カテーテルアダプターの近位端へののデバイスの挿入に応答して、近位位置と遠位位置との間を移動するように構成され、別個
前記スリットは、前記隔壁が遠位位置に配置されたときに、前記隔壁アクチュエータが前記突起の中心内に配置されるように、突起の中心を通って延びる、
カテーテルアセンブリ。
【請求項１３】
前記別個のデバイスを挿入する前に前記隔壁が前記近位位置にあるときに、前記突起が前記隔壁アクチュエータに接触する、
請求項１２に記載のカテーテルアセンブリ。
【請求項１４】
前記別個のデバイスを挿入する前に前記隔壁が前記近位位置にあるときに、前記突起が前記隔壁アクチュエータに隣接している、
請求項１２に記載のカテーテルアセンブリ。
【請求項１５】
前記突起がドームを含む、
請求項１２に記載のカテーテルアセンブリ。
【請求項１６】
前記ドームの直径が前記スリットの直径よりも大きい、
請求項１５に記載のカテーテルアセンブリ。
【請求項１７】
前記突起が切り詰められたドームを含む、
請求項１２に記載のカテーテルアセンブリ。
【請求項１８】
前記切り詰められたドームの切り詰められた部分の直径が前記スリットの直径よりも大きい、
請求項１７に記載のカテーテルアセンブリ。
【請求項１９】
前記突起の外面が、前記カテーテルアセンブリの横軸に対して鋭角で配置されている、
請求項１２に記載のカテーテルアセンブリ。
【請求項２０】
前記突起に対して流れる逆流血液に応答して、前記スリットの対向する面が互いにより強く押し付けて前記スリットを密封する、
請求項１２に記載のカテーテルアセンブリ。
【発明の詳細な説明】
【技術分野】
【０００１】
本発明は、血液をコントロールする中隔およびその関連システムに関する。
カテーテルは、一般的にさまざまな注入療法に用いられる。例えば、カテーテルは、生理食塩水、さまざまな薬剤、および総合的な非経口栄養などの流体を患者へと注入するために用いられることができる。また、カテーテルは、患者から血液を採取するためにも用いることができる。
【背景技術】
【０００２】
カテーテルの一般的なタイプは、外針（over-the-needle）末梢静脈カテーテル（ＰＩＶＣ：peripheral intravenous catheter）である。その名前が示すように、「オーバーザニードル」ＰＩＶＣは、鋭い遠位先端を有する導入針の上に取り付けることができる。ＰＩＶＣおよび導入針（introducer needle）は、導入針の遠位先端が針の斜角を患者の皮膚から離れる方向に対向させながらＰＩＶＣの遠位先端を越えて延伸するように、組み立てることができる。ＰＩＶＣおよび導入針は、一般的に、皮膚を通して患者の血管系へと浅い角度で挿入される。
【０００３】
血管内の導入針および／またはＰＩＶＣの適切な配置を検証すべく、ユーザーは、一般的に、ＰＩＶＣアセンブリのフラッシュバックチャンバー内に血液の「フラッシュバック」があることを確認する。針の配置が確認されたら、ユーザーは一時的に静脈内の流れを遮断し、導入針を取り外して、ＰＩＶＣを静脈内の所定の位置に残す。ユーザーはまた、流体注入および／または採血のために、ＰＩＶＣアセンブリにデバイスを取り付けることができる。多くのカテーテル留置部位では血管を簡単に閉塞できないため、このプロセスは実際にはいくらか困難である。さらに、そのような閉塞が達成されたとしても、それは不完全である可能性があり、その結果、ＰＩＶＣを収容するＰＩＶＣアセンブリから血液が漏れ、医療関係者を危険にさらす。
【０００４】
したがって、血管から導入針の除去中および除去後の流体の流出を防止するための様々なシールまたは「隔壁（septa）」を提供するカテーテルアセンブリが当技術分野で提供されてきた。ただし、場合によっては、導入針を取り外した後、ユーザーがデバイスをＰＩＶＣアセンブリに接続して輸液や採血を行う前に、特定の隔壁（septum）から血液が漏れる可能性がある。特に導入針の外径が大きい場合、隔壁からの漏れがより早く発生する可能性がある。したがって、ＰＩＶＣの配置および使用を取り巻くステップ中の血流を制御し、漏出を低減する隔壁を提供することは、当技術分野における進歩であろう。
【０００５】
本明細書で請求される主題は、あらゆる不利益を解決する実施形態、または上述のような環境下だけで動作する実施形態に限定されない。むしろ、この背景技術は、本明細書で説明されるある実装が実施されることができる一例の技術領域を説明するためにのみ提供される。
【発明の概要】
【０００６】
本開示は、一般に、血液制御のための隔壁（セプタム）、ならびに関連するデバイス、システム、および方法に関する。いくつかの実施形態では、カテーテルアセンブリは、遠位端、近位端、およびそれを通って延びる管腔（lumen）を含み得るカテーテルアダプターを含み得る。いくつかの実施形態では、カテーテルアセンブリはまた、管腔内にスライド可能に配置された隔壁を含み得る。いくつかの実施形態では、隔壁は、遠位端、近位端、および隔壁の遠位端と近位端との間に配置されたバリアを含み得る。いくつかの実施形態では、バリアは、隔壁の内部を遠位空洞と近位空洞とに分割することができる。いくつかの実施形態では、バリアの遠位面は、突起を含み得る。いくつかの実施形態では、バリアは、遠位空洞と近位空洞との間の流体連絡を選択的に開くために、突起を通って延びるスリットを含み得る。
【０００７】
いくつかの実施形態では、突起に対して流れる逆流血液に応答して、スリットの対向する面は、スリットを密封するために互いにより強く押し付けられ得る。これは、突起に対する逆流血液の半径方向の力、ならびに突起に対する逆流血液の軸方向の力に起因する可能性がある。いくつかの実施形態では、軸方向の力が突起の中央部分に作用し、突起の中央部分を近位方向に軸方向に押すと、スリットの反対側の面は、より大きな干渉で互いに向かって移動する。
【０００８】
いくつかの実施形態では、突起は、遠位面の中心に配置され得る。いくつかの実施形態では、スリットは、突起の中心を通って延びることができる。いくつかの実施形態では、バリアの近位面は平坦であり得る。いくつかの実施形態では、突起は対称であり得る。
【０００９】
いくつかの実施形態では、突起の外面の少なくとも一部は、カテーテルアセンブリの横軸に対して鋭角で配置され得る。例えば、突起はドームを含み得る。いくつかの実施形態では、ドームの直径は、スリットの直径よりも大きくてもよい。別の例として、突起は、切り詰められたドームを含み得る。いくつかの実施形態では、切り詰められたドームの切り詰められた部分の直径は、スリットの直径よりも大きくてもよい。さらに別の例として、突起は円錐台を含み得る。いくつかの実施形態では、切頭円錐（円錐台）の切頭部分の直径は、スリットの直径よりも大きくてもよい。
【００１０】
いくつかの実施形態では、隔壁アクチュエータは、カテーテルアダプターの管腔内に固定され得る。いくつかの実施形態では、隔壁は、カテーテルアダプターの近位端への別個のデバイスの挿入に応答して、近位位置と遠位位置との間を移動するように構成され得る。いくつかの実施形態では、隔壁アクチュエータは、近位位置から遠位位置への隔壁の移動に応答してスリットを貫通することができる。いくつかの実施形態では、スリットは、突起の中心を通って延びることができ、隔壁（septum）が遠位位置に配置されたときに、隔壁アクチュエータが突起の中心内に配置される。
【００１１】
いくつかの実施形態では、別個のデバイスを挿入する前に隔壁が近位位置にある場合、突起は、隔壁アクチュエータから離れて隣接して配置され得る。他の実施形態では、隔壁アクチュエータは、突起の外面に接触することができるが、別個のデバイスの挿入前に隔壁が近位位置にあるとき、スリットを貫通することはできない。
【００１２】
前述の一般的な説明および以下の詳細な説明は、両方とも例示的且つ説明的であり、特許請求の範囲と同様に、本発明を限定しないと理解される。さまざまな実施形態は、図面に図示される配置および手段に限定されないことを理解されたい。また、実施形態を組み合わせることができ、または他の実施形態を利用することができ、そうであると主張されない限り、本発明のさまざまな実施形態の範囲から逸脱することなく構造変更をすることができることを理解されたい。したがって、以下の詳細な説明は、限定的な意味で解釈されるべきではない。
【図面の簡単な説明】
【００１３】
例示的な実施形態は、添付の図面を使用することにより、具体的且つ詳細に記載および説明されることとなる。
【図１Ａ】図１Ａは、いくつかの実施形態による、挿入位置またはすぐに使用できる位置にあるカテーテルアセンブリを示す、従来技術の例示的なカテーテルアセンブリの断面図である。
【図１Ｂ】図１Ｂは、いくつかの実施形態による、安全な位置にあるカテーテルアセンブリを示す、図１Ａのカテーテルアセンブリの別の断面図である。
【図１Ｃ】図１Ｃは、いくつかの実施形態による、例示的な安全カップリングおよび例示的な導入針が取り外された、図１Ａのカテーテルアセンブリの別の断面図である。
【図１Ｄ】図１Ｄは、いくつかの実施形態による、図１Ｃの線１Ｄ〜１Ｄに沿った図１Ｃのカテーテルアセンブリの断面図である。
【図２Ａ】図２Ａは、いくつかの実施形態による、例示的な突起を有する例示的な隔壁を示す、別の例示的なカテーテルアセンブリの断面図である。
【図２Ｂ】図２Ｂは、いくつかの実施形態による、図２Ａのカテーテルシステムの一部の拡大断面図である。
【図２Ｃ】図２Ｃは、いくつかの実施形態による、例示的な隔壁アクチュエータを通って近位に流れる逆流血液からの力に応答して互いにより強く押し付けられる隔壁の例示的な対向スリットを示す、図２Ａのカテーテルアセンブリの断面図である。
【図２Ｄ】図２Ｄは、いくつかの実施形態による、線２Ｄ−２Ｄに沿った図２Ａのカテーテルアセンブリの断面図である。
【図２Ｅ】図２Ｅは、いくつかの実施形態による、遠位位置にある隔壁を示す、図２Ａのカテーテルアセンブリの断面図である。
【図３】図３は、いくつかの実施形態による、別の例示的な突起を示す、図２Ａのカテーテルアセンブリの断面図である。
【図４】図４は、いくつかの実施形態による、別の例示的な突起を示す、図２Ａのカテーテルアセンブリの断面図である。
【図５】図５は、いくつかの実施形態による、ダックビル弁を有する別の隔壁を示している、図２Ａのカテーテルアセンブリの断面図である。
【発明を実施するための形態】
【００１４】
本開示は、一般に、血液制御のための隔壁、ならびに関連するデバイス、システム、および方法に関する。ここで図１Ａ〜１Ｂを参照すると、従来技術のカテーテルアセンブリ１０が示されている。図１Ａは、第１の、すぐに使用できる位置にあるカテーテルアセンブリ１０を示している。カテーテルアセンブリ１０は、血液制御を備えたスミスメディカルビアバルブ（登録商標）安全ＩＶカテーテルに対応し得る。カテーテルアセンブリ１０は、一般に、カテーテルアダプター１６の遠位端１４に結合されたカテーテル１２を含む。すぐに使用できる位置では、カテーテル１２は、導入針１７の鋭い先端がカテーテル１２の遠位端から延びるように、導入針１７の上に配置される。
【００１５】
カテーテルアセンブリ１０は、一般に、アクチュエータ２０、ノーズ２２、および係合アーム２４を含む安全カップリング１８を含む。安全カップリング１８のカラー２６は、カテーテルアダプター１６、係合アーム２４、およびアクチュエータ２０の近位部分の周りに配置されている。この点で、カラー２６は、これらの構成要素またはその一部へのアクセスを禁止することができる。安全カップリング１８は、カテーテルアセンブリ１０が使用可能位置にあり、アクチュエータ２０が遠位の係合位置にシフトされたときに、カテーテルアダプター１６を係合アーム２４と係合するように構築されている。すぐに使用できる位置では、係合アーム２４は、アクチュエータ２０の係合部分２７によってカテーテルアダプター１６と接触して保持される。
【００１６】
ここで図１Ｂを参照すると、カテーテルアセンブリ１０は、第２の安全な位置に示されている。カテーテルアセンブリ１０が安全な位置にあるとき、アクチュエータ２０は、近位の解放された位置にシフトされる。安全な位置では、係合アーム２４は、カテーテルアダプター１６との係合から解放され、それにより、安全カップリング１８および導入針１７をカテーテル１２およびカテーテルアダプター１６から取り外すことができる。
【００１７】
ここで図１Ｃを参照すると、カテーテルアセンブリ１０は、安全カップリング１８および導入針１７が取り外された状態で示されている。カテーテルアダプター１６の管腔２９は、カテーテル１２の管腔２８と流体連絡している。患者に挿入されると、カテーテル１２およびカテーテルアダプター１６は、患者への流体の送達および／または患者からの流体の回収を容易にするための流体導管を提供する。
【００１８】
カテーテルアセンブリ１０は、カテーテルアダプター１６の管腔２９と共にスライド可能に収容された隔壁３０を含む。カテーテルアセンブリ１０はまた、隔壁アクチュエータ３２を含み、これは、一般に、遠位流体チャンバー３４内に固定的に配置される。隔壁３０は、隔壁３０の遠位端と近位端との間に配置されたバリア３６を有する管状である。バリア３６は、隔壁３０の内部を遠位流体チャンバー３４および近位流体チャンバー３８に分割する。バリア３６の遠位面４０は平坦である。ここで図１Ｄを参照すると、遠位流体チャンバー３４と近位流体チャンバー３８との間の流体連絡を選択的に開くために、Ｙ字型スリット４２がバリア３６に形成されている。しかしながら、場合によっては、スリット４２が閉じられると、流体がスリット４２を通って漏れる可能性がある。
【００１９】
ここで図２Ａを参照すると、いくつかの実施形態による、カテーテルアセンブリ５０が示されている。いくつかの実施形態では、カテーテルアセンブリ５０は、カテーテルシステム１０を含むか、またはそれに対応し得る。いくつかの実施形態では、カテーテルアセンブリ５０は、カテーテルシステム１０の１つまたは複数の特徴または要素を含み得る。いくつかの実施形態では、カテーテルシステム５０は、安全カップリング１８および／または導入針１７を含み得る。
【００２０】
いくつかの実施形態では、カテーテルアセンブリ５０は、遠位端５４、近位端５６、およびそれを通って延びる管腔５８を含み得るカテーテルアダプター５２を含み得る。いくつかの実施形態では、カテーテル５９は、カテーテルアダプター５２から遠位に延びることができる。いくつかの実施形態では、カテーテル５９は、末梢静脈内カテーテル（「ＰＩＶＣ」）を含み得る。
【００２１】
いくつかの実施形態では、カテーテルアセンブリ５０はまた、管腔５８内にスライド可能に配置された隔壁６０を含み得る。いくつかの実施形態では、隔壁６０は、エラストマーまたは弾性材料で構成され得る。いくつかの実施形態では、隔壁アクチュエータ６１は、カテーテルアダプター５２の管腔５８内に固定され得る。いくつかの実施形態では、隔壁６０は、遠位端６２、近位端６４、および隔壁６０の遠位端６２と隔壁６０の近位端６４との間に配置されたバリア６６を含み得る。いくつかの実施形態では、バリア６６は、隔壁６０の内部を遠位空洞６８と近位空洞７０とに分割することができる。いくつかの実施形態では、隔壁６０は、遠位空洞６８と近位空洞７０との間の流体の通過を制御または制限することができる。
【００２２】
いくつかの実施形態では、隔壁６０は、管腔５８内に適合するように構成された外径を有する可撓性または半可撓性のポリマープラグを含み得る。いくつかの実施形態では、隔壁６０は、内部管腔の１つまたは複数の内面との接触、抗病原性材料との接触、または別の適切な手段を介して、管腔５８内の所定の位置に保持され得る。いくつかの実施形態では、バリア６６は、隔壁６０の遠位端６２または近位端６４またはその近くに配置することができる。いくつかの実施形態では、隔壁６０は、実質的にＨ字型の断面を有し得る。
【００２３】
いくつかの実施形態では、バリア６６の遠位面７２は、突起７４を含み得る。いくつかの実施形態では、バリア６６は、遠位空洞６８と近位空洞７０との間の流体連絡を選択的に開くために、突起７４を通って延びるスリット７６を含み得る。いくつかの実施形態では、突起７４は、遠位面７２の中心に配置され得る。いくつかの実施形態では、スリット７６は、突起７４の中心を通って延びることができる。いくつかの実施形態では、バリア６６の近位面８０は平坦であり得る。いくつかの実施形態では、突起７４は対称であり得る。
【００２４】
ここで図２Ｂを参照すると、いくつかの実施形態では、突起７４の外面の少なくとも一部は、カテーテルアセンブリ５０の横軸８２に対して鋭角ａで配置され得る。いくつかの実施形態では、横軸は、カテーテルアセンブリ５０の縦軸に垂直であり得る。いくつかの実施形態では、突起７４は、例えば、図２Ｂに示されるように、ドームを含み得る。いくつかの実施形態では、ドームの直径８４は、スリット７６の直径８６よりも大きくてもよい。
【００２５】
いくつかの実施形態では、逆流血液は、患者の静脈からカテーテル５９を通って遠位空洞（the distal cavity）６８に流れることができる。逆流血液は、突起７４にそれぞれ半径方向の力および軸方向の力を加えることができる半径方向の構成要素８８および軸方向の構成要素９０を含み得る。
【００２６】
ここで図２Ｃを参照すると、いくつかの実施形態では、突起７４に対して流れる逆流血液に応答して、例えば図２Ｃに示されるように、スリット７６の対向する面は、スリット７６を密封するために互いにより強く押し付けられ得る 。これは、突起に対する逆流血液の半径方向の力、ならびに突起７４に対する逆流血液の軸方向の力に起因する可能性がある。軸方向の力が突起７４の中央部分に作用し、突起７４の中央部分を近位方向に軸方向に押すと、スリット７６の対向する面、特に対向する面の遠位端は、より大きな干渉で互いに向かって移動する。
【００２７】
ここで図２Ｄを参照すると、スリット７６は、任意の数の構成を含むことができる。例えば、図２Ｄに示されるように、スリット７６はＹ字型であり得る。他の実施形態では、スリット７６はＸ字形であり得る。いくつかの実施形態では、スリット７６は線形であり得る。
【００２８】
ここで図２Ｅを参照すると、いくつかの実施形態では、隔壁アクチュエータ６１は、カテーテルアダプター５２の管腔５８内に固定され得る。いくつかの実施形態では、隔壁６０は、カテーテルアダプター５２の近位端５６への別個のデバイスの挿入に応答して、近位位置と遠位位置との間を移動するように構成され得る。別個のデバイスは、例えば、図２Ｅに示されるように、ルアーアダプタ９６を含み得る。
【００２９】
いくつかの実施形態では、隔壁アクチュエータ６１は、例えば、図２Ｅに示されるように、隔壁６０が遠位位置にあるときにスリット７６を貫通することができる。いくつかの実施形態では、スリット７６は、隔壁（septum）６０が遠位位置に配置されたときに、隔壁アクチュエータ６１が突起７４の中心内に配置されるように、突起７４の中心を通って延びることができる。いくつかの実施形態では、突出部７４は、例えば、図２Ａ〜２Ｃに示されるように、別個のデバイスの挿入前に隔壁６０が近位位置にあるとき、隔壁アクチュエータ６１に隣接し得る。いくつかの実施形態では、別個のデバイスを挿入する前に隔壁６０が近位位置にあるとき、突起７４は隔壁アクチュエータ６１に接触することができる。
【００３０】
いくつかの実施形態では、隔壁アクチュエータ６１は、遠位空洞６８内に固定的に配置され得、カテーテルアセンブリ５０の活性化の前に隔壁６０に隣接して配置される部分を含み得る。場合によっては、隔壁アクチュエータ６１は、カテーテルアダプター５２に結合されたベース９８を含み得る。例えば、示されるように、ベース９８は、カテーテル５９の近位端に少なくとも部分的に挿入され得る。いくつかの実施形態では、ベース９８は、カテーテル５９とカテーテルアダプター５２との間に圧入を形成するくさびとして機能して、カテーテル５９とベース９８を所定の位置に少なくとも部分的に保持することができる。いくつかの実施形態では、ベース９８は、留め具、接着剤、接着技術、または成形を介してカテーテルアダプター５２に直接結合することができる。示されるように、隔壁アクチュエータ６１は、カテーテル５９の管腔１０２と流体連絡する管腔１００を形成する中空の内部を有する管状構成を有し得る。
【００３１】
いくつかの実施形態では、カテーテルアダプター５２の近位端５６は、フランジ１０４を含む。フランジ１０４は、静脈内チューブまたはルアーアダプタ９６のカテーテルアセンブリ５０への結合を可能にするように構成され得る正の表面を提供する。いくつかの実施形態では、フランジ１０４は、ねじ接続を介してルアーアダプタ９６を受け入れるためのねじをさらに含む。
【００３２】
ここで図３を参照すると、いくつかの実施形態では、突起７４は、切り詰められたドームを含み得る。いくつかの実施形態では、切り詰められたドームの切り詰められた部分の直径９２は、スリット７６の直径８６よりも大きくてもよい。
【００３３】
ここで図４を参照すると、いくつかの実施形態では、突起７４は、円錐台を含み得る。いくつかの実施形態では、切頭円錐（円錐台）の切頭部分の直径９４は、スリット７６の直径８６よりも大きくてもよい。
【００３４】
ここで図５を参照すると、いくつかの実施形態では、カテーテルアセンブリ５０と共に使用され得る別の隔壁９３は、ダックビル弁９６を含み得る。ダックビル弁の非限定的な例は、「ダックビル弁を備えた静脈内カテーテル」と題された、２０１２年１０月３日に出願された米国特許第９，１２６，０１２号に記載されており、これは参照によりその全体が本明細書に組み込まれる。いくつかの実施形態では、ダックビル弁９６のフラップは、内側および近位に延びることができる。いくつかの実施形態では、２つの内向きフラップは、例えば、図２Ｅのルアーデバイス９６などのルアー装置の挿入および隔壁９３の遠位位置への移動に応答して、フラップ間のギャップを開くために、隔壁アクチュエータ６１によって押し離され得る。いくつかの実施形態では、隔壁９３は、図２〜５に関して記載された隔壁６０を含むか、またはそれに対応し得る。さらに詳細には、いくつかの実施形態では、隔壁９３は、隔壁６０の１つまたは複数の特徴を含み得る。
【００３５】
前述の一般的な説明および以下の詳細な説明は、両方とも例示的且つ説明的であり、特許請求の範囲と同様に、本発明を限定しないと理解される。さまざまな実施形態は、図面に図示される配置および手段に限定されないことを理解されたい。また、実施形態を組み合わせることができ、または他の実施形態を利用することができ、そうであると主張されない限り、本発明のさまざまな実施形態の範囲から逸脱することなく構造変更をすることができることを理解されたい。したがって、以下の詳細な説明は、限定的な意味で解釈されるべきではない。
【００３６】
本明細書に列挙されたすべての例示および条件付きの用語は、本発明、および本発明者が本技術を促進することによって寄与される概念を理解することを読み手に助力する教育学的な目的を意図しており、それらは、そのような具体的に列挙された例示および条件に限定されていないものと解釈されるべきである。本発明の実施形態を詳細に説明してきたが、本発明の精神および範囲から逸脱することなく、さまざまな変更、置換、および代替を行うことができることを理解されたい。
【図１Ａ】
2021532942.tif 000003
【図１Ｂ】
2021532942.tif 000004
【図１Ｃ】
2021532942.tif 000005
【図１Ｄ】
2021532942.tif 000006
【図２Ａ】
2021532942.tif 000007
【図２Ｂ】
2021532942.tif 000008
【図２Ｃ】
2021532942.tif 000009
【図２Ｄ】
2021532942.tif 000010
【図２Ｅ】
2021532942.tif 000011
【図３】
2021532942.tif 000012
【図４】
2021532942.tif 000013
【図５】
2021532942.tif 000014
【国際調査報告】
2021532942.tif 000015
2021532942.tif 000016